(57)【要約】【課題】通気穴を大きくして速やかに室内に空気を流入しながら、火災などの異常時には、確実に通気穴を閉塞して、優れた防火特性を実現する。【解決手段】ドアユニットは、室内外の圧力差解消装置３を備えている。圧力差解消装置３は、室外側の表面プレート４Ａの外側に配設される室外プレート１１と、室内側の表面プレート４Ｂの外側に配設される室内プレート１２と、一対の対向プレート１０を互いに接近位置に係止するロック機構２０とを備えている。ロック機構２０は、一対の対向プレート１０を接近位置に配置して、室外プレート１１と室内プレート１２の間隔を、一対の表面プレート４の間隔よりも広くするロック状態に保持し、周囲の温度が高くなって温度ヒューズ２１が溶断される状態にあっては、ロック状態を解除して一対の対向プレート１０を互いに離れる位置に配置して、室外プレート１１と室内プレート１２を表面プレート４の表面に接触させる。【選択図】図９
2010209559.tif 000002
【特許請求の範囲】
【請求項１】
室内外の圧力差解消装置(3)を有するドアユニットであって、圧力差解消装置(3)が、ドア枠(2)の袖部(2A)とドア(1)のいずれかに設けられると共に、圧力差解消装置(3)を設けている袖部(2A)又はドア(1)の表面プレート(4)に通気穴(6)、(7)を開口しており、前記圧力差解消装置(3)が、ドア枠(2)の袖部(2A)又はドア(1)の室外側の表面プレート(4A)の外側に配設される室外プレート(11)と、ドア枠(2)の袖部(2A)又はドア(1)の室内側の表面プレート(4B)の外側に配設される室内プレート(12)と、ドア枠(2)の袖部(2A)又はドア(1)の内部にあって、互いに接近しかつ離れる方向に移動自在な一対の対向プレート(10)と、この対向プレート(10)を互いに接近位置に係止するロック機構(20)と、前記対向プレート(10)であって室内側の表面プレート(4B)側に配設される室内側の対向プレート(10A)を室外プレート(11)に連結してなる第１の連結ロッド(13A)と、前記対向プレート(10)であって室外側の表面プレート(4A)側に配設される室外側の対向プレート(10B)を室内プレート(12)に連結してなる第２の連結ロッド(13B)とを備えており、
前記連結ロッド(13)は、ドア枠(2)の袖部(2A)又はドア(1)の表面プレート(4)を貫通して軸方向に移動自在に連結しており、この連結ロッド(13)を介して室外プレート(11)と室内プレート(12)とをドア枠(2)の袖部(2A)又はドア(1)の表面プレート(4)に接近し、かつ離れる方向に移動自在に連結しており、
前記ロック機構(20)は、一対の対向プレート(10)を接近位置に配置して、室外プレート(11)と室内プレート(12)の間隔を、ドア枠(2)の袖部(2A)又はドア(1)の両面に設けている一対の表面プレート(4)の間隔よりも広くするロック状態に保持し、かつ周囲の温度で溶断されてロック状態を解除する温度ヒューズ(21)を備えており、
前記ロック機構(20)は、周囲の温度が高くなって温度ヒューズ(21)が溶断される状態にあっては、ロック状態を解除して一対の対向プレート(10)を互いに離れる位置に配置して、前記室外プレート(11)と前記室内プレート(12)がドア枠(2)の袖部(2A)又はドア(1)の表面プレート(4)の表面に接触されて表面プレート(4)の通気穴(6)を閉塞するようにしてなる圧力差解消装置を備えるドアユニット。
【請求項２】
前記対向プレート(10)と、一方の表面プレート(4)に連結してなるアクチュエータ(32)と、このアクチュエータ(32)を制御して前記表面プレート(4)の通気穴(6)を開閉する制御機構(31)とを備えており、前記制御機構(31)がアクチュエータ(32)を制御して、通気穴(6)を開閉するようにしてなる請求項１に記載されるドアユニット。
【請求項３】
前記アクチュエータ(32)がソレノイド(32A)で、制御機構(31)がソレノイド(32A)の通電を制御して、前記通気穴(6)を開閉する請求項２に記載されるドアユニット。
【請求項４】
前記制御機構(31)が、スイッチ(33)と、このスイッチ(33)からの信号でカウントを開始して通気穴(6)の開時間を特定するタイマ(34)とを備えており、前記スイッチ(33)からの入力信号で制御機構(31)がアクチュエータ(32)を制御して前記通気穴(6)を開状態とし、タイマ(34)がタイムアップして前記通気穴(6)を閉状態とする請求項２に記載されるドアユニット。
【請求項５】
前記ロック機構(20)が、一対の対向プレート(10)の間に配設してなる押しバネ(24)を備え、第１の連結ロッド(13A)が室外側の対向プレート(10B)を軸方向に移動できるように貫通し、かつ第２の連結ロッド(13B)が室内側の対向プレート(10A)を軸方向に移動できるように貫通してなる請求項１に記載される圧力差解消装置を有するドアユニット。
【請求項６】
前記ロック機構(20)が、一対の対向プレート(10)の間に設けているロックプレート(23)と、このロックプレート(23)に連結している弾性体(22)とを備え、前記一対の対向プレート(10)は、前記連結ロッド(13)を固定してなる連結プレート部(10a)の側縁に側壁部(10b)を設けて、一方の対向プレート(10)の側壁部(10b)を他方の対向プレート(10)の側壁部(10b)の内側に配設して、一対の対向プレート(10)の側壁部(10b)を互いに相対運動できる位置に配置しており、
内側に配置される側壁部(10b)は長手方向に伸びる縦スリット(15)を設けており、この縦スリット(15)に沿って移動するように前記ロックプレート(23)を一対の対向プレート(10)の間に配設しており、さらにロックプレート(23)は縦スリット(15)を通過して外側の側壁部(10b)に向かって突出する係止凸部(23a)を有し、前記外側の側壁部(10b)には係止凸部(23a)を案内する係止スリット(16)を設けており、係止スリット(16)は縦スリット(15)の方向に伸びるロックスリット(16a)と、このロックスリット(16a)に連結してなるロック解除スリット(6b)とを有し、
さらに、前記ロックプレート(23)をロック位置に停止する前記温度ヒューズ(21)は、一端をロックプレート(23)に他端を対向プレート(10)に連結して、前記係止凸部(23a)を前記ロックスリット(16a)に案内して、一対の対向プレート(10)を係止位置にロックしており、前記弾性体(22)は、前記温度ヒューズ(21)が溶断される状態で、ロックプレート(23)の係止凸部(23a)をロック解除スリット(16b)に案内する方向に付勢しており、
非溶断状態にある前記温度ヒューズ(21)が、ロックプレート(23)の係止凸部(23a)をロックスリット(16a)に案内して、一対の対向プレート(10)をロック状態で接近位置に配置し、温度ヒューズ(21)の溶断状態にあっては、前記弾性体(22)がロックプレート(23)を移動してロックプレート(23)の係止凸部(23a)をロック解除スリット(16b)に案内して、一対の対向プレート(10)を前記押しバネ(24)でもって互いに離す位置とする請求項１に記載される圧力差解消装置を有するドアユニット。
【発明の詳細な説明】
【技術分野】
【０００１】
本発明は、室内外の圧力差でドアを開くのが重くなるのを解消する装置を有するドアユニットに関し、とくに、火災時にドアユニットに設けた開口部を閉塞するようにしてなる圧力差解消装置を有するドアユニットに関する。
【背景技術】
【０００２】
超高層建物は、強風で玄関扉に強い風荷重が作用する。この風荷重は、玄関ドアの外側に作用する圧力と、その住戸のベランダ外側に作用する圧力の差により生じ、玄関ドア、ベランダ開口部並びに住戸内のドアの開閉状態により変化する。風荷重は、玄関ドアを開き難くすることから、風荷重が作用する玄関ドアは、開くために数十ｋｇｆもの強い力を必要とすることがある。さらに、気密性に優れた室内がファンで換気されると、室内の気圧が室外よりも低くなる。この状態になると、ドアの室外側と室内側とに圧力差ができ、圧力差がドアを閉める方向に加圧する。圧力差でドアを閉める方向に押す力は、ドアの面積と圧力差の積に比例する。したがって、わずかな圧力差であってもドアの面積が大きいことから、ドアは強い力で閉める方向に加圧される。このため、ドアを開くのに極めて強い力を必要とする。たとえば、室内の空気をファンで排気する状態では、ドアを開くために数十ｋｇｆもの強い力を必要とするが、ドアを開けられる重さは、一般的には、成人男子で約２０ｋｇｆ、老年（６０〜７５才）女性で９ｋｇｆ、幼年（５〜６才）女性で約３ｋｇｆと言われている。風荷重などの圧力差でドアを開きやすくするために、開くときに室内に空気を流入させる通気装置を設けたドアが開発されている。（特許文献１及び２参照）
【先行技術文献】
【特許文献】
【０００３】
【特許文献１】特開２００７−９２３０６号公報
【特許文献２】特開平１１−１６６７５３号公報
【発明の概要】
【発明が解決しようとする課題】
【０００４】
特許文献１のドアは、両面にある表面プレートの対向する位置に貫通孔を設け、この貫通孔を、指で押して開くことができる蓋板で閉塞している。蓋板は、対向する表面プレートの内側にあって、コイルバネで弾性的に閉める方向に押されている。貫通孔に指を入れて蓋板を押し込むと、蓋板が表面プレートから離れて貫通孔を通気できる状態としている。両面の表面プレートの内面にある蓋板は、互いにリンク機構を介して連結されて、一方の蓋板が押されると連動して両方が開かれるようにしている。この構造は、ドアの表面プレートに貫通孔を設けるので、この貫通孔がドア表面のデザインに影響を与える。このため、ドアの表面をスッキリと綺麗な意匠としながら大きな貫通孔を設けるのが難しい。貫通孔を小さくすると、室内に空気を流入して圧力差を解消するのに時間がかかり、蓋板を開いて直ちにドアを軽く開くことができなくなる。
【０００５】
さらに、この構造は、蓋板を指で押して軽く開くことが大切である。このことを実現するために、蓋板を押して閉じる位置とするコイルバネを弱く設定する必要がある。コイルバネが強く蓋板を閉じると、蓋板を指で強く押して開く必要があるからである。また、蓋板は蝶番を介して表面プレートに連結されることから、年月が経過して蝶番の動きが悪くなると、蓋板が貫通孔を確実に閉塞できなくなる。この欠点はコイルバネを強くして解消できるが、強いコイルバネでは蓋板を軽く押して開くことができなくなる。年月が経過して蓋板が確実に貫通孔を閉塞できない状態は、貫通孔から隙間風が通過するばかりでなく、ドアで火炎を遮断できなくなって耐防火特性が悪くなる。
【０００６】
さらに、特許文献２のドアは、レバーに連動して開閉される機構をレバーの周囲に設けている。この構造は、レバーの構造が極めて複雑になるばかりでなく、大きな通気穴を設けるのが難しい。また、通気穴を設けるためにレバーのデザインに制約を受ける。さらに、この構造は、ドアを開くレバーを操作して通気穴を開いた直後にドアを開くので、通気穴を開いた直後にドアを開くことになる。この状態は、室内に十分に空気を流入した後にドアを開くことができず、圧力差を十分に解消した状態でドアを開くことができない。
【０００７】
本発明は、以上の欠点を解決することを目的に開発されたものである。本発明の重要な目的は、ドア表面をスッキリと美しいデザインとしながら、通気穴を大きくして速やかに室内に空気を流入して、ドアを軽く開くことができる圧力差解消装置を有するドアユニットを提供することにある。
【０００８】
さらに、本発明の他の大切な目的は、火災などの異常時には、確実に通気穴を閉塞して、優れた防火特性を実現する圧力差解消装置を有するドアユニットを提供することにある。
【課題を解決するための手段及び発明の効果】
【０００９】
本発明のドアユニットは、室内外の圧力差解消装置３を備えている。圧力差解消装置３は、ドア枠２の袖部２Ａとドア１のいずれかに設けられると共に、圧力差解消装置３を設けている袖部２Ａ又はドア１の表面プレート４に通気穴６、７を開口している。圧力差解消装置３は、ドア枠２の袖部２Ａ又はドア１の室外側の表面プレート４Ａの外側に配設される室外プレート１１と、ドア枠２の袖部２Ａ又はドア１の室内側の表面プレート４Ｂの外側に配設される室内プレート１２と、ドア枠２の袖部２Ａ又はドア１の内部にあって、互いに接近し、かつ離れる方向に移動自在な一対の対向プレート１０と、この一対の対向プレート１０を互いに接近位置に係止するロック機構２０と、室内側の表面プレート４Ｂ側に配設される室内側の対向プレート１０Ａを室外プレート１１に連結してなる第１の連結ロッド１３Ａと、室外側の表面プレート４Ａ側に配設される室外側の対向プレート１０Ｂを室内プレート１２に連結してなる第２の連結ロッド１３Ｂとを備えている。連結ロッド１３は、ドア枠２の袖部２Ａ又はドア１の表面プレート４を貫通して軸方向に移動自在に連結しており、この連結ロッド１３を介して室外プレート１１と室内プレート１２とをドア枠２の袖部２Ａ又はドア１の表面プレート４に接近し、かつ離れる方向に移動自在に連結している。ロック機構２０は、一対の対向プレート１０を接近位置に配置して、室外プレート１１と室内プレート１２の間隔を、ドア枠２の袖部２Ａ又はドア１の両面に設けている一対の表面プレート４の間隔よりも広くするロック状態に保持し、かつ周囲の温度で溶断されてロック状態を解除する温度ヒューズ２１を備えている。ロック機構２０は、周囲の温度が高くなって温度ヒューズ２１が溶断される状態にあっては、ロック状態を解除して一対の対向プレート１０を互いに離れる位置に配置して、室外プレート１１と室内プレート１２をドア枠２の袖部２Ａ又はドア１の表面プレート４の表面に接触させて表面プレート４の通気穴６を閉塞する。
【００１０】
以上のドアユニットは、表面をスッキリと美しいデザインとしながら、通気穴を大きくして速やかに室内に空気を流入して、ドアを軽く開くことができる特徴がある。また、火災などの異常時には確実に通気穴を閉塞して、優れた防火特性を実現する特徴も実現する。それは、ドア枠の袖部又はドアに設けている圧力差解消装置が、火災の温度で温度ヒューズを溶断して、室外プレートと室内プレートをドア枠の袖部又はドアの表面プレートの表面に接触して、表面プレートに設けている通気穴を閉塞するからである。
【００１１】
本発明のドアユニットは、対向プレート１０と、一方の表面プレート４に連結してなるアクチュエータ３２と、このアクチュエータ３２を制御して表面プレート４の通気穴６を開閉する制御機構３１とを備えて、制御機構３１がアクチュエータ３２を制御して、通気穴６を開閉することができる。
【００１２】
本発明のドアユニットは、アクチュエータ３２をソレノイド３２Ａとして、制御機構３１がソレノイド３２Ａの通電を制御して、通気穴６を開閉することができる。
【００１３】
本発明のドアユニットは、制御機構３１が、スイッチ３３と、このスイッチ３３からの信号でカウントを開始して通気穴６の開時間を特定するタイマ３４とを備えて、スイッチ３３からの入力信号で制御機構３１がアクチュエータ３２を制御して通気穴６を開状態とし、タイマ３４がタイムアップして通気穴６を閉状態とすることができる。
【００１４】
本発明のドアユニットは、ロック機構２０が、一対の対向プレート１０の間に配設してなる押しバネ２４を備えて、第１の連結ロッド１３Ａが室外側の対向プレート１０Ｂを軸方向に移動できるように貫通し、かつ、第２の連結ロッド１３Ｂが室内側の対向プレート１０Ａを軸方向に移動できるように貫通することができる。
【００１５】
本発明のドアユニットは、ロック機構２０が、一対の対向プレート１０の間に設けているロックプレート２３と、このロックプレート２３に連結している弾性体２２とを備えることができる。一対の対向プレート１０は、連結ロッド１３を固定してなる連結プレート部１０ａの側縁に側壁部１０ｂを設けて、一方の対向プレート１０の側壁部１０ｂを他方の対向プレート１０の側壁部１０ｂの内側に配設して、一対の対向プレート１０の側壁部１０ｂを互いに相対運動できる位置に配置することができる。内側に配置される側壁部１０ｂは、長手方向に伸びる縦スリット１５を設けて、この縦スリット１５に沿って移動するようにロックプレート２３を一対の対向プレート１０の間に配設し、さらに、ロックプレート２３は、縦スリット１５を通過して外側の側壁部１０ｂに向かって突出する係止凸部２３ａを有し、外側の側壁部１０ｂには係止凸部２３ａを案内する係止スリット１６を設けて、係止スリット１６は縦スリット１５の方向に伸びるロックスリット１６ａと、このロックスリット１６ａに連結してなるロック解除スリット１６ｂとを有することができる。さらに、ロックプレート２３をロック位置に停止する温度ヒューズ２１は、一端をロックプレート２３に、他端を対向プレート１０に連結して、係止凸部２３ａをロックスリット１６ａに案内して、一対の対向プレート１０を係止位置にロックし、弾性体２２は、温度ヒューズ２１が溶断される状態で、ロックプレート２３の係止凸部２３ａをロック解除スリット１６ｂに案内する方向に付勢することができる。このロック機構２０は、非溶断状態にある温度ヒューズ２１が、ロックプレート２３の係止凸部２３ａをロックスリット１６ａに案内して、一対の対向プレート１０をロック状態で接近位置に配置し、温度ヒューズ２１の溶断状態にあっては、弾性体２２がロックプレート２３を移動してロックプレート２３の係止凸部２３ａをロック解除スリット１６ｂに案内して、一対の対向プレート１０を押しバネ２４でもって、互いに離す位置とすることができる。
【図面の簡単な説明】
【００１６】
【図１】本発明の一実施例にかかるドアユニットの正面図である。
【図２】図１に示すドアユニットの背面図である。
【図３】図１に示すドアユニットの圧力差解消装置を示すＡ−Ａ線断面図である。
【図４】図３に示す圧力差解消装置が通気する状態を示す水平断面図である。
【図５】図３に示す圧力差解消装置の対向プレートが離れる状態を示す水平断面図である。
【図６】図３に示す圧力差解消装置の垂直断面図であって、Ｂ−Ｂ線断面に相当する図である。
【図７】図６に示す圧力差解消装置が通気する状態を示す垂直断面図である。
【図８】図６に示す圧力差解消装置の対向プレートが離れる状態を示す垂直断面図である。
【図９】圧力差解消装置の斜視図である。
【図１０】図９に示す圧力差解消装置のロック機構を示す斜視図である。
【図１１】図１０に示す圧力差解消装置のロック機構の分解斜視図である。
【図１２】図１１に示すロック機構の分解斜視図である。
【図１３】温度ヒューズの拡大斜視図である。
【図１４】図１０に示すロック機構のロック状態が解除される状態を示す斜視図である。
【図１５】図１４に示すロック機構のロック状態が解除されて対向プレートが離れる状態を示す斜視図である。
【図１６】本発明の他の実施例にかかるドアユニットの圧力差解消装置を示す水平断面図である。
【図１７】図１６に示す圧力差解消装置が通気する状態を示す水平断面図である。
【発明を実施するための形態】
【００１７】
以下、本発明の実施例を図面に基づいて説明する。ただし、以下に示す実施例は、本発明の技術思想を具体化するための圧力差解消装置を有するドアユニットを例示するものであって、本発明はドアユニットを以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１の正面図と図２の背面図に示すドアユニットは、室内外の圧力差解消装置３をドア枠２の袖部２Ａに設けている。ただし、本発明のドアユニットは、同じ構造の圧力差解消装置をドアに設けることもできる。圧力差解消装置３は、ドア枠２の袖部２Ａとドアのいずれかに設けることができる。圧力差解消装置３を設けている袖部２Ａやドアは、室外の空気を室内に流入するために、表面プレート４に通気穴６、７を開口している。図１のドアユニットは、袖部２Ａのネームプレート９を設ける部分に通気穴６を設けて、この通気穴６をネームプレート９に併用される室外プレート１１で開閉するようにしている。
【００２０】
図３ないし図５の水平断面図と図６ないし図８の垂直断面図に示す袖部２Ａは、室外側に設けている表面プレート４に設けた通気穴６を圧力差解消装置３で開閉する。袖部２Ａの室内側に設けている表面プレート４は、図２に示すように、下部に通気穴７を設けている。室内側の表面プレート４Ｂに設けた通気穴７は、圧力差解消装置３で開閉せず、つねに開口された状態としている。この袖部２Ａは、図４と図７の矢印で示すように、圧力差解消装置３が室外側の表面プレート４Ａに設けた通気穴６を開口する状態で、室外側の空気を内部に通過させて、室内側の表面プレート４Ｂの通気穴７から室内に流入させる。図３と図６に示すように、圧力差解消装置３が室外側の表面プレート４Ａの通気穴６を閉塞する状態で、室外の空気は袖部２Ａに流入しない。したがって、この状態で室外の空気が室内に流入することはない。室外側の表面プレート４Ａに設けた通気穴６と、室内側の表面プレート４Ｂに設けた通気穴７は、大きくして換気量を多くできる。このため、通気穴６、７を大きくして、室内外の圧力差を速やかに均一にできる。通気穴６、７は、たとえば０．０８ｍ×０．０８ｍとして、開口面積を０．００６４ｍ２として速やかに室内外の圧力差を解消できる。ただし、通気穴６、７の大きさは、室内の容積や圧力差を解消する時間を考慮して最適な大きさとすることができ、好ましくは０．００２ｍ２以上であって０．０１ｍ２以下とすることができる。
【００２１】
さらに、図３ないし図８に示す袖部２Ａは、室外側の表面プレート４Ａに開口した通気穴６に網材２６を配置している。図の袖部２Ａは、表面プレート４の内側であって、通気穴６の全体をカバーするように網材２６を固定している。この網材２６は、例えば、金属網で、網目の大きさが、空気を自由に通過できるが、虫やゴミ等が侵入するのを阻止できるサイズのものを使用する。このように、通気穴６に網材２６を配置する構造は、ここから虫やゴミが侵入するのを有効に防止できる。
【００２２】
圧力差解消装置３を図３ないし図９に示している。これらの図に示す圧力差解消装置３は、袖部２Ａの室外側の表面プレート４Ａの外側に配設される室外プレート１１と、袖部２Ａの室内側の表面プレート４Ｂの外側に配設している室内プレート１２と、袖部２Ａの内部にあって、互いに接近しかつ離れる方向に移動できるように連結している一対の対向プレート１０と、この一対の対向プレート１０を互いに接近位置に係止するロック機構２０と、室内側の表面プレート４Ｂ側に配設している室内側の対向プレート１０Ａを室外プレート１１に連結している第１の連結ロッド１３Ａと、室外側の表面プレート４Ａ側に配設している室外側の対向プレート１０Ｂを室内プレート１２に連結している第２の連結ロッド１３Ｂとを備えている。
【００２３】
室外プレート１１は、室外側の表面プレート４Ａに設けた通気穴６を閉塞するので、この通気穴６よりも大きくする。たとえば、室外側の表面プレート４Ａに設けた一辺を０．０８ｍとする四角形の通気穴６を閉塞する室外プレート１１は、一辺を０．０９ｍ〜０．１ｍとして、通気穴６を確実に閉塞する。さらに、室外プレート１１は、内面の外周に沿ってパッキン２７を固定して、室外側の表面プレート４Ａの通気穴６を空気漏れなく閉塞できる。室内プレート１２は、室外プレート１１よりも小さくしている。
【００２４】
室外プレート１１と室内プレート１２は、簡単に往復運動できるように表面にグリップ１４を固定している。図のグリップ１４は、金属ロッドをコ字状に折曲加工している。室外側に配置されるグリップ１４は、両端を室外プレート１１に固定している。室内側に配置されるグリップ１４は、両端を室内プレート１２に固定している。
【００２５】
以上の圧力差解消装置３は、連結ロッド１３を介して袖部２Ａに往復運動できるように連結される。袖部２Ａは、表面プレート４を貫通して連結穴８を設けている。この連結穴８に圧力差解消装置３の連結ロッド１３を移動できるように挿入して、圧力差解消装置３は往復運動できるように袖部２Ａに連結される。袖部２Ａは、室外側の表面プレート４Ａと室内側の表面プレート４Ｂに連結穴８を設けて、室外側の表面プレート４Ａの連結穴８に第１の連結ロッド１３Ａを、室内側の表面プレート４Ｂの連結穴８に第２の連結ロッド１３Ｂを挿通している。第１の連結ロッド１３Ａと第２の連結ロッド１３Ｂは、表面プレート４に設けた連結穴８に挿通されて、表面プレート４を貫通して軸方向に移動自在に連結している。この連結ロッド１３を介して往復運動される圧力差解消装置３は、室外プレート１１と室内プレート１２を、袖部２Ａの表面プレート４に接近し、かつ離れる方向に往復運動できるように連結される。
【００２６】
図３と図６に示すように、室外プレート１１が室外側の表面プレート４Ａに接近する状態で、袖部２Ａに設けた通気穴６は閉塞される。この状態で、室内プレート１２は室内側の表面プレート４Ｂから離れる。図４と図７に示すように、室外プレート１１が室外側の表面プレート４Ａから離れる状態で、通気穴６は開口されて、図の矢印で示すように、室内に換気される。この状態で、室内プレート１２は室内側の表面プレート４Ｂに接近するが、袖部２Ａは下部に通気穴７を設けているので、この通気穴７を介して室内に換気される状態となる。室外プレート１１と室内プレート１２の内側の間隔は、袖部２Ａの室外側に設けている表面プレート４と室内側に設けている表面プレート４の間隔よりも広い。したがって、圧力差解消装置３を連結ロッド１３で往復運動して、室外プレート１１と室内プレート１２のいずれかを表面プレート４に接近させる状態で、他方は表面プレート４から離れる位置にある。正確には、ロック機構２０が一対の対向プレート１０を接近位置に配置する状態で、室外プレート１１と室内プレート１２は一方を表面プレート４に接近させると、他方は表面プレート４から離れた位置となる。ただし、図５と図８に示すように、ロック機構２０が、ロック状態を解除する状態にあっては、室外プレート１１と室内プレート１２の両方が表面プレート４に接近して、通気穴６を閉塞する。したがって、ロック状態を解除する状態で、圧力差解消装置３は通気穴６を開口することはない。
【００２７】
以上の動作するために、ロック機構２０は、図９ないし図１５に示すように、温度ヒューズ２１と、この温度ヒューズ２１に連結している弾性体２２を備える。図１３に示す温度ヒューズ２１は、２枚の金属板２１Ａを、熱溶融金属２１Ｂを介して積層しており、この熱溶融金属２１Ｂで２枚の金属板２１Ａの対向面を接合して連結している。この温度ヒューズ２１は、周囲温度が熱溶融金属２１Ｂの融点まで上昇すると、熱溶融金属２１Ｂが溶融されて、２枚の金属板２１Ａの接合状態が解除されて溶断される。ただ、温度ヒューズには、所定の温度で溶断される他の全てのものが使用できる。
【００２８】
温度ヒューズ２１は、溶断されない状態でロック状態、溶断される状態で非ロック状態となる。ロック状態は、図６、図７、図９及び図１０に示すように、一対の対向プレート１０を接近位置に配置して、室外プレート１１と室内プレート１２の間隔を、袖部２Ａの両面に設けている一対の表面プレート４の間隔よりも広くする。非ロック状態は、図５、図８、及び図１５に示すように、温度ヒューズ２１が溶断されて室外プレート１１と室内プレート１２とを互いに接近させて表面プレート４の通気穴６を閉塞する。このロック機構２０は、火災などで周囲の温度が高くなって温度ヒューズ２１が溶断される状態になると、ロック状態が解除されて、一対の対向プレート１０を互いに離れる位置に移動して、室外プレート１１と室内プレート１２を袖部２Ａの表面プレート４の表面に接触させて、表面プレート４の通気穴６を閉塞する。
【００２９】
ロック機構２０は、非ロック状態で室外プレート１１と室内プレート１２を互いに接近させるために、一対の対向プレート１０の間に押しバネ２４を設けている。図１１に示す押しバネ２４はコイルスプリングで、連結ロッド１３を挿通して、一対の対向プレート１０の間に配置している。図の押しバネ２４は、第２の連結ロッド１３Ｂに挿通している。ただ、押しバネは、第１の連結ロッドに挿通して、一対の対向プレートの間に配置することもできる。
【００３０】
押しバネ２４に押されて、一対の対向プレート１０が互いに離れる方向に移動できるように、すなわち、一対の対向プレート１０が接近位置から離れる位置に移動できるように、第１の連結ロッド１３Ａは室外側の対向プレート１０Ｂを軸方向に移動できるように貫通し、第２の連結ロッド１３Ｂは室内側の対向プレート１０Ａを軸方向に移動できるように貫通している。
【００３１】
さらに、ロック機構２０は、通常の状態でロック位置にあって、火災などで温度ヒューズ２１が溶断される状態で非ロック状態となるように、温度ヒューズ２１に連結しているロックプレート２３と、このロックプレート２３に連結している弾性体２２とを備えている。ロックプレート２３は、一対の対向プレート１０の間に設けられ、温度ヒューズ２１と弾性体２２は対向プレート１０の外側に配置される。ロックプレート２３が一対の対向プレート１０をロック位置、すなわち接近位置に保持し、非ロック状態では対向プレート１０を離す位置に移動させるために、一対の対向プレート１０は、連結ロッド１３を固定している連結プレート部１０ａの側縁に側壁部１０ｂを設けて、一方の対向プレート１０の側壁部１０ｂを他方の対向プレート１０の側壁部１０ｂの内側に配設して、一対の対向プレート１０の側壁部１０ｂを互いに相対運動できる位置に配置している。図の対向プレート１０は、金属板を溝型に加工して、連結プレート部１０ａの両側縁に側壁部１０ｂを設けている。
【００３２】
温度ヒューズ２１と弾性体２２が配置される対向プレート１０（図においては、室内側の対向プレート１０Ａ）の側壁部１０ｂは、長手方向に伸びる縦スリット１５を設けており、この縦スリット１５に沿って移動するようにロックプレート２３を一対の対向プレート１０の間に配置している。図に示す室内側の対向プレート１０Ａは、両側の側壁部１０ｂの対向する位置に縦スリット１５を設けている。また、ロックプレート２３は、縦スリット１５を通過して、外側に配置される側壁部１０ｂに向かって突出する係止凸部２３ａを設けている。図のロックプレート２３は、両側の同じ位置に係止凸部２３ａを設けている。さらに、温度ヒューズ２１と弾性体２２が配置されない対向プレート１０（図においては、室外側の対向プレート１０Ｂ）の側壁部１０ｂには、ロックプレート２３の係止凸部２３ａを案内する係止スリット１６を設けている。この係止スリット１６は、縦スリット１５の方向に伸びるロックスリット１６ａと、このロックスリット１６ａに連結しているロック解除スリット１６ｂとを設けている。ロック解除スリット１６ｂは、長手方向に伸びるロックスリット１６ａに直交する横方向に伸びて、側壁部１０ｂの側縁に開口する。
【００３３】
また、ロックプレート２３は、図１２に示すように、中間の一部を直角に折曲して、温度ヒューズ２１と弾性体２２に連結する折曲片２３ｂを設けている。この折曲片２３ｂは、対向プレート１０に長手方向に伸びるように設けた貫通スリット１７に案内されて、対向プレート１０の外側に突出している。図のロックプレート２３の折曲片２３ｂは、第１の連結ロッド１３Ａを連結している室内側の対向プレート１０Ａの連結プレート部１０ａに長手方向に伸びるように設けている。折曲片２３ｂは、先端を２分岐して、一方には温度ヒューズ２１を、他方には弾性体２２を連結している。この構造は、温度ヒューズ２１と弾性体２２とを簡単かつ容易に、しかも確実に連結できる特徴がある。ただし、折曲片は、ひとつの凸部に温度ヒューズと弾性体とを連結することもできる。
【００３４】
温度ヒューズ２１は、対向プレート１０の外側にあって、ロックプレート２３をロック位置に停止する。この温度ヒューズ２１は、一端をロックプレート２３に他端を対向プレート１０に連結している。対向プレート１０は、温度ヒューズ２１と弾性体２２を連結するために、連結プレート部１０ａの一部を外側に折曲して連結片１８、１９を設けている。温度ヒューズ２１と弾性体２２は、第１の連結ロッド１３Ａを連結する室内側の対向プレート１０Ａの外側に配置するので、この室内側の対向プレート１０Ａの連結プレート部１０ａに連結片１８、１９を設けている。温度ヒューズ２１は、一端をこの連結片１８に連結して、他端をロックプレート２３の折曲片２３ｂに連結している。図の温度ヒューズ２１は、２枚の金属板２１Ａの端部であって、反対側に位置して連結孔２１ａを開口しており、この連結孔２１ａに連結片１８と折曲片２３ｂを挿入して連結している。また、弾性体２２は、一端を対向プレート１０の連結片１９に、他端をロックプレート２３の折曲片２３ｂに連結している。
【００３５】
以上の圧力差解消装置３は、図１０に示すロック状態において、ロックプレート２３の係止凸部２３ａをロックスリット１６ａに案内して、一対の対向プレート１０を接近位置にロックする。弾性体２２は引っ張りバネで、温度ヒューズ２１が溶断される状態ではロックプレート２３を引っ張って、対向プレート１０を長手方向に移動させて、係止凸部２３ａをロック解除スリット１６ｂに案内する方向に付勢している。非溶断状態にある温度ヒューズ２１は、ロックプレート２３の係止凸部２３ａをロックスリット１６ａに案内して、一対の対向プレート１０をロック状態として接近位置に配置する。火災などで温度ヒューズ２１が溶断されると、図１４の矢印で示すように、弾性体２２がロックプレート２３を引っ張って移動し、ロックプレート２３の係止凸部２３ａをロック解除スリット１６ｂに案内する。この状態になると、押しバネ２４が一対の対向プレート１０を押して、図１５に示すように、互いに離す方向に移動させる。一対の対向プレート１０が互いに離す方向に移動されると、連結ロッド１３でもって、室外プレート１１と室内プレート１２は互いに接近する方向に移動されて、袖部２Ａの表面プレート４の表面に密着される。この状態で、室外プレート１１は表面プレート４に設けた通気穴６を閉塞する。
【００３６】
以上の圧力差解消装置３は、ドア１を開くことに先だって、以下のようにして、室内外の圧力差を解消少なくして、ドア１を軽く開くことができるようにする。この状態において、温度ヒューズ２１は溶断された状態になく、ロック機構２０はロック状態にあって、一対の対向プレート１０を接近位置とし、これに連結している室外プレート１１と室内プレート１２を離した状態に保持している。この状態で、図４と図７に示すように、室外プレート１１のグリップ１４を引っ張って室外プレート１１を袖部２Ａの室外側の表面プレート４Ａから引き離す。室外プレート１１が室外側の表面プレート４Ａから離されると、室外側の表面プレート４Ａに設けている通気穴６が開口される。この状態で、室外の空気は、室外側の表面プレート４Ａに設けた通気穴６から袖部２Ａに流入し、さらに、袖部２Ａの室内側の表面プレート４Ｂに設けた通気穴７から室内に流入する。すなわち、室外から室内に空気が流入して、室内と室外の圧力差は解消される。この状態でドア１を軽く開くことができる。
【００３７】
袖部２Ａの通気穴６を閉塞するときは、以上の状態から、室内プレート１２に設けたグリップ１４を引っ張って、図３と図６に示すように、室外プレート１１を室外側の表面プレート４Ａに密着する。この状態になると、室外側の表面プレート４Ａの通気穴６は室外プレート１１で閉塞される。この状態で、圧力差解消装置３は、袖部２Ａに設けた通気穴６を閉塞する。さらに、室外プレート１１を室外側の表面プレート４Ａに密着させて通気穴６を閉塞する状態に保持するために、この位置で室内側の表面プレート４Ｂの内面に吸着される永久磁石２５を対向プレート１０に固定している。この構造は、室外プレート１１を室外側の表面プレート４Ａに密着させた状態に保持できる。室外プレート１１を室外側の表面プレート４Ａから離すときは、室外プレート１１のグリップ１４を引っ張って、永久磁石２５の吸着状態を解除する。
【００３８】
以上のドアユニットは、手でグリップ１４を操作して通気穴６を開閉するが、通気穴６をアクチュエータ３１で開閉することもできる。このドアユニットは、図１６と図１７に示すように、対向プレート１０と、表面プレート４に連結してなるアクチュエータ３２と、このアクチュエータ３２を制御して表面プレート４の通気穴６を開閉する制御機構３１とを備えている。図１６と図１７のドアユニットは、アクチュエータ３２の一端を室外側の表面プレート４Ａに連結している。ただし、アクチュエータは、一端を室内側の表面プレートに連結することもできる。さらに、図１６と図１７のドアユニットは、アクチュエータ３２の他端を室内側の対向プレート１０Ａに連結しているが、アクチュエータの他端も室外側の対向プレートに連結することができる。それは、通常の状態にあっては、ロック機構２０でもって、室内側の対向プレート１０Ａと室外側の対向プレート１０Ｂとを接近位置に連結するからである。さらに、図１６と図１７のドアユニットは、対向プレート１０の両端に連動して動作する一対のアクチュエータ３２を連結している。この構造は、一対のアクチュエータ３２でもって細長い対向プレート１０をスムーズに平行移動できる。一対のアクチュエータ３２は、制御機構３１で一緒に連動して制御され、収縮する状態（図１７参照）では通気穴６を開状態とし、伸びる状態（図１６参照）では通気穴６を閉状態とする。
【００３９】
アクチュエータ３２は、磁石の力でプランジャー３２Ｂを往復運動させるソレノイド３２Ａである。ソレノイド３２Ａのアクチュエータ３２は、プランジャー３２Ｂの先端を対向プレート１０に連結して、ソレノイド３２Ａを表面プレート４に固定している。ソレノイド３２Ａは、コイル３２ａに通電してプランジャー３２Ｂを磁気的な吸引力で引っ張って収縮状態とする。コイル３２ａに通電しない状態では、プランジャー３２Ｂに磁気的な吸引力は作用しない。したがって、コイル３２ａに通電しない状態では、プランジャー３２Ｂをバネ（図示せず）で弾性的に押し出す構造とする。ソレノイド３２Ａは、コイル３２ａに通電して、収縮状態として通気穴６を開くことができる。また、コイル３２ａの通電を停止して、バネでプランジャー３２Ｂを押し出して、通気穴６を閉じる状態とする。
【００４０】
制御機構３１は、スイッチ３３と、このスイッチ３３からの信号でカウントを開始して通気穴６の開時間を特定するタイマ３４とを備えている。スイッチ３３は押しボタンスイッチで、室外側の表面プレート４Ａと室内側の表面プレート４Ｂの表面に、それぞれ露出するように固定している。制御機構３１のタイマ３４は、通気穴６を開状態とする時間、たとえば、１分〜１０分を記憶している。制御機構３１は、このタイマ３４がカウントしている状態で、ソレノイド３２Ａに通電して通気穴６を開状態に保持する。制御機構３１は、タイマ３４がタイムアップすると、ソレノイド３２Ａの通電を停止する。この状態で、ソレノイド３２Ａのプランジャー３２Ｂがバネで押し出されて、通気穴６は閉状態となる。この制御機構３１は、スイッチ３３からの入力信号で制御機構３１がアクチュエータ３２を制御して通気穴６を一定の時間は開状態とし、タイマ３４がタイムアップして通気穴６を閉状態とするので、グリップで通気穴６を開閉する必要がなく便利に使用できる。
【００４１】
以上のドアユニットは、室外プレート１１又は室内プレート１２を表面プレート４に密着する状態で、火災が発生すると温度ヒューズ２１が溶断される。温度ヒューズ２１が溶断されると、図１４に示すように、ロックプレート２３のロック状態が解除されて、図５、図８、及び図１５に示すように、押しバネ２４が一対の対向プレート１０を互いに離すように移動する。この状態になると、対向プレート１０は連結ロッド１３を介して室外プレート１１と室内プレート１２とを互いに接近させる方向に移動する。この状態で、室外プレート１１は、室外側の表面プレート４Ａに密着し、室内プレート１２は室内側の表面プレート４Ｂに密着する。室外プレート１１と室内プレート１２とが互いに接近することから、室外プレート１１がどの位置にあっても、室外側の表面プレート４Ａに密着して、通気穴６を確実に閉塞する。したがって、火災が発生するときには、通気穴６を確実に閉塞して防火ドアとしての特性を満足する。
【００４２】
以上のドアユニットは、袖部２Ａに圧力差解消装置を設けているが、同じ機構で圧力差解消装置をドアに設けることができる。
【符号の説明】
【００４３】
１…ドア
２…ドア枠                    ２Ａ…袖部
３…圧力差解消装置
４…表面プレート              ４Ａ…室外側の表面プレート
４Ｂ…室内側の表面プレート
６…通気穴
７…通気穴
８…連結穴
９…ネームプレート
１０…対向プレート            １０Ａ…室内側の対向プレート
１０Ｂ…室外側の対向プレート
１０ａ…連結プレート部
１０ｂ…側壁部
１１…室外プレート
１２…室内プレート
１３…連結ロッド              １３Ａ…第１の連結ロッド
１３Ｂ…第２の連結ロッド
１４…グリップ
１５…縦スリット
１６…係止スリット            １６ａ…ロックスリット
１６ｂ…ロック解除スリット
１７…貫通スリット
１８…連結片
１９…連結片
２０…ロック機構
２１…温度ヒューズ            ２１Ａ…金属板
２１ａ…連結孔
２１Ｂ…熱溶融金属
２２…弾性体
２３…ロックプレート          ２３ａ…係止凸部
２３ｂ…折曲片
２４…押しバネ
２５…永久磁石
２６…網材
２７…パッキン
３１…制御機構
３２…アクチュエータ          ３２Ａ…ソレノイド
３２ａ…コイル
３２Ｂ…プランジャー
３３…スイッチ
３４…タイマ
【図１】
2010209559.tif 000003
【図２】
2010209559.tif 000004
【図３】
2010209559.tif 000005
【図４】
2010209559.tif 000006
【図５】
2010209559.tif 000007
【図６】
2010209559.tif 000008
【図７】
2010209559.tif 000009
【図８】
2010209559.tif 000010
【図９】
2010209559.tif 000011
【図１０】
2010209559.tif 000012
【図１１】
2010209559.tif 000013
【図１２】
2010209559.tif 000014
【図１３】
2010209559.tif 000015
【図１４】
2010209559.tif 000016
【図１５】
2010209559.tif 000017
【図１６】
2010209559.tif 000018
【図１７】
2010209559.tif 000019